(57)【特許請求の範囲】
【請求項１】
室内から外部に排気する換気装置と、
前記室内の空気調和を行う空気調和機と、
前記換気装置が作動したときに、前記空気調和機を作動させる機器連動手段と、
前記機器連動手段により前記空気調和機を作動させたときに、前記換気装置の排気風量を減少させて前記換気装置を運転することで前記換気装置の騒音を低減する騒音低減手段と、
を備えた空気調和システム。
【請求項２】
前記換気装置及び前記空気調和機を個別に制御するシステム制御装置を備え、
前記システム制御装置は、前記機器連動手段と前記騒音低減手段とを備えた請求項１に記載の空気調和システム。
【請求項３】
前記換気装置と前記空気調和機との位置関係を取得する位置関係取得手段を備え、
前記機器連動手段は、前記換気装置と前記空気調和機との位置関係に基いて、前記空気調和機から送風された空気が前記換気装置に到達するように前記空気調和機を制御する請求項１または２に記載の空気調和システム。
【請求項４】
少なくとも調理時に発生する臭気を検出する臭気検出手段を備え、
前記機器連動手段は、前記臭気検出手段から取得した情報に基いて前記換気装置及び前記空気調和機を制御する請求項１から３のうち何れか１項に記載の空気調和システム。
【請求項５】
少なくとも調理時に発生する熱を検出する熱センサを備え、
前記機器連動手段は、前記熱センサから取得した情報に基いて前記換気装置及び前記空気調和機を制御する請求項１から４のうち何れか１項に記載の空気調和システム。
【請求項６】
前記換気装置及び前記空気調和機以外の家電機器を備え、
前記機器連動手段は、前記家電機器から取得した情報に基いて前記換気装置及び前記空気調和機を制御する請求項１から５のうち何れか１項に記載の空気調和システム。
【請求項７】
調理を行う調理機器を備え、
前記機器連動手段は、前記調理機器の作動情報に基いて前記換気装置及び前記空気調和機を制御する請求項１から６のうち何れか１項に記載の空気調和システム。
【請求項８】
前記機器連動手段は、前記臭気検出手段から取得した情報に基いて室内での臭気の拡散位置を把握したときに、臭気の拡散位置から前記換気装置に向けて空気が流れるように前記空気調和機の風向、風量及び風速のうち少なくとも１つを制御する請求項４に記載の空気調和システム。
【請求項９】
室外から室内に空気を供給する換気口を備え、
前記機器連動手段は、前記換気装置及び前記空気調和機が作動したときに、前記換気口の風向、風量及び風速のうち少なくとも１つを制御する請求項１から８のうち何れか１項に記載の空気調和システム。
【請求項１０】
前記換気装置は、調理を行う調理機器の上側に位置する調理空間に面して配置し、
前記空気調和機は、リビングダイニング空間に配置し、
前記機器連動手段は、前記換気装置が作動したときに、前記空気調和機から前記調理空間に向けて空気を送風する請求項１から９のうち何れか１項に記載の空気調和システム。
【発明の詳細な説明】
【技術分野】
【０００１】
本発明は、調理時に発生する臭気、煙等を排気する換気装置と室内の空気調和を行う空気調和機とを備えた空気調和システムに関する。
【背景技術】
【０００２】
従来、調理時に発生した臭気、煙等は、換気扇を用いて室外に排出するのが一般的である。このような排気を効率的に行うために、従来技術として、例えば特許文献１に記載されたようなシステムが提案されている。従来技術では、換気扇の周囲にエアーカーテンを設けることにより、臭気、煙等の排気対象が拡散するのを抑制し、換気扇による排気対象の捕集効率を向上させるようにしている。
【先行技術文献】
【特許文献】
【０００３】
【特許文献１】特許第５１６９７９１号公報
【発明の概要】
【発明が解決しようとする課題】
【０００４】
近年では、キッチンの調理台がダイニングまたはリビングと対面するように配置された対面式キッチン、あるいは、キッチンの調理台がＬＤＫ（リビング・ダイニング・キッチン）の中央に設置されるアイランド型キッチン等を用いる家屋が増えている。この種のキッチンでは、キッチンがリビング及びダイニングに対して開放的となっているため、キッチンでは、リビングまたはダイニングに設置された空調機器、換気装置等から発生する空気流が換気扇の周囲に到達し、臭気、煙、熱等の排出が阻害されることがある。
【０００５】
このような問題を解決するためには、例えばレンジフード（換気装置）の換気扇の回転数を増加させたり、特許文献１の従来技術に記載されているように調理台の周囲の排気風量を増加させる方法が考えられる。しかしながら、これらの方法では、レンジフードの排気風に起因する騒音が増大し、キッチンにいる人とリビング及びダイニングにいる人の会話が阻害されるという問題がある。また、レンジフードの排気風量が増加すると、空調された室内空気の外部排出量が増加し、空調されていない外気の室内流入量が増加することになる。この結果、キッチン等の熱環境が悪化するだけでなく、室内全体の空調負荷が増大することになり、余分な空調により無駄な電力が消費されるという問題がある。
【０００６】
本発明は、上述のような課題を解決するためになされたもので、換気装置と空気調和機とを備えた構成において、換気装置の騒音を抑制しつつ、臭気、油煙、水蒸気、二酸化炭素等の捕集を効率よく実行し、省エネルギ化を促進することが可能な空気調和システムを提供することを目的とする。
【課題を解決するための手段】
【０００７】
本発明に係る空気調和システムは、室内から外部に排気する換気装置と、室内の空気調和を行う空気調和機と、換気装置が作動したときに、空気調和機を作動させる機器連動手段と、機器連動手段により空気調和機を作動させたときに、換気装置の排気風量を減少させて換気装置を運転することで換気装置の騒音を低減する騒音低減手段と、を備えている。
【発明の効果】
【０００８】
本発明によれば、換気装置と空気調和機とを連動させることで、換気装置の騒音を抑制しつつ、臭気、油煙、水蒸気、二酸化炭素等の捕集を効率よく実行することができる。また、余分な空調に起因する無駄な消費電力を削減し、省エネルギ化を促進することができる。従って、換気装置と空気調和機とを連動させることで、ユーザにとって快適な空気調和システムを実現することができる。
【図面の簡単な説明】
【０００９】
【図１】本発明の実施の形態１による空気調和システムの設置例を示す側面図である。
【図２】空気調和システムのシステム構成を示す構成図である。
【図３】換気装置を模式的に示す縦断面図である。
【図４】空気調和機を模式的に示す縦断面図である。
【図５】図５は、空気調和システムの電源系統を模式的に示す構成図である。
【図６】本発明の実施の形態１による空気調和システムの制御例を示すフローチャートである。
【発明を実施するための形態】
【００１０】
以下、図面を参照してこの発明を実施するための形態について説明する。なお、各図中において、同一または相当する部分には同一の符号を付し、重複する説明は適宜に簡略化ないし省略する。また、本発明は、以下の実施の形態に限定されるものではなく、本発明の趣旨を逸脱しない範囲で種々変形することが可能である。
【００１１】
実施の形態１．
図１は、本発明の実施の形態１による空気調和システムの設置例を示す側面図である。図１において、空気調和システム１は、例えばリビングダイニングキッチン（ＬＤＫ）１００に設置されている。ＬＤＫ１００は、床面上に立設されたキッチンカウンター２００と、主として調理を行う人が使用するキッチン空間３００と、人が食事をしたり寛いだりする居間として機能するリビングダイニング空間４００と、キッチンカウンター２００上において人が調理を行うための調理空間５００とを備えている。
【００１２】
キッチンカウンター２００は、例えばリビングダイニングと対面した対面型キッチンにより構成されており、床面から突出した調理台として形成されている。キッチン空間３００とリビングダイニング空間４００とは、キッチンカウンター２００を挟んで互いに反対側に配置されている。
【００１３】
図２は、空気調和システムのシステム構成を示す構成図である。この図に示すように、空気調和システム１は、ＬＤＫ１００に設置された換気装置２、換気口３、換気扇４、空気調和機５及び調理機器６からなる複数の機器と、その他の家電機器７と、前記複数の機器のうち少なくとも一部を制御するシステム制御装置７０とを備えている。なお、その他の家電機器７は、必ずしも空気調和システム１を構成しなくてもよい。以下、個々の機器について説明する。
【００１４】
換気装置２は、図１において、調理を行う調理機器６から発生する臭気、油煙、水蒸気、二酸化炭素等のガスを含んだ空気を吸い込み、当該空気を屋外に排気する。なお、調理機器６は、フィルタ等を用いて前記ガスを除去した空気を室内に還流させる機能を備えていてもよい。換気装置２は、例えば調理機器６の上方に位置する天井、壁等に取付けられている。そして、換気装置２は、調理空間５００を上方から覆うように配置され、調理空間５００と対面している。
【００１５】
図３は、換気装置を模式的に示す縦断面図である。この図に示すように、換気装置２は、例えば中空な枠状体として形成されたハウジング２０と、ハウジング２０のうち調理空間５００と対面する下面に開口した開口部２１と、ハウジング２０の内部に配置されて開口部２１から空気を吸い込む排気ファン２２と、吸い込んだ空気を搬送するダクト２３とを備えている。また、換気装置２は、例えばダクト２３内で前記ガスの濃度を検出するガスセンサ２４と、調理機器６上の温度及び調理する人の表面温度を検出する熱センサ２５と、排気ファン２２の動作を制御する換気制御部２６（図２参照）とを備えている。
【００１６】
換気制御部２６は、換気装置２が単体でも排気を効率よく行うための自動的制御機能を有している。この自動制御機能では、ガスセンサ２４により前記ガスの濃度を検出し、検出されたガスの濃度が高くなるように、即ち、前記ガスの排出効率が高くなるように、排気ファン２２を制御する。また、換気制御部２６は、システム制御装置７０と連動して換気装置２を制御する機能も備えている。
【００１７】
即ち、換気制御部２６は、ガスセンサ２４の検出結果をシステム制御装置７０に送信すると共に、システム制御装置７０から他の機器の情報も加味した動作条件を受信し、受信した動作条件に基いて排気ファン２２を制御してもよい。なお、本発明において、換気装置２は、当該換気装置２と同等の機能を有するもの、つまり建物内の臭気、煙等を排気する機能を有するものであれば、換気装置以外の機器であってもよく、換気装置２に限定するものではない。
【００１８】
換気口３は、図１において、室外から室内に空気を供給するもので、例えばキッチン空間３００側に設置されている。換気口３は、換気装置２の動作により室内が陰圧となるのを防止する機能も有している。また、換気口３には、少なくとも調理時に発生する臭気を検出する臭気センサ３１（図２参照）が配置されている。臭気センサ３１によれば、キッチン空間３００への臭気の拡散状況を検出することができる。
【００１９】
なお、臭気センサ３１は、必ずしも換気口３に設置する必要はなく、換気口３から室内に供給される空気と接触可能な任意の場所に設置すればよい。特に、換気口３は、外気を室内に供給するための機構であるから、臭気センサ３１は、建物の外気取入口等から換気口３に至るまでの吸気風路ではなく、室内空気の臭気を検出可能な場所に設置するのが好ましい。また、本発明では、換気口３をリビングダイニング空間４００側に設置してもよい。この場合、臭気センサ３１は、リビングダイニング空間４００に拡散する臭気を検出することができる。換気扇４は、図１において、リビングダイニング空間４００側に配置され、室内の空気を臭気等と共に排出する。
【００２０】
空気調和機５は、図１において、ＬＤＫ１００内の空気に対して、例えば冷房、暖房、除湿、送風等の空気調和を行うもので、リビングダイニング空間４００に設置されている。図４は、空気調和機を模式的に示す縦断面図である。この図に示すように、空気調和機５は、横長の略直方体状に成形されたケーシング５０と、ケーシング５０内に室内の空気を吸い込む送風機５１と、送風機５１により吸い込まれた室内の空気の熱交換を行う熱交換器５２と、室内の空気をケーシング５０内に吸い込む吸込口５３と、熱交換した空気を吹き出す吹出口５４とを備えている。吸込口５３は、ケーシング５０の上面に開口し、吹出口５４は、ケーシング５０の前面下部に開口している。
【００２１】
また、空気調和機５は、吹出口５４からの吹出し空気の風向を上下方向に調整する上下風向板５５と、吹出し空気の風向を左右方向に調整する左右風向板５６と、複合センサ５７及び空調制御部５８（図２参照）とを備えている。複合センサ５７は、例えば臭気を検出する臭気センサ、埃等の塵埃を検出する埃センサ、温度及び湿度を検出する温湿度センサ、人を検知する人検知センサ、室内の画像を取得するカメラ等を複合したものである。空調制御部５８は、複合センサ５７により取得した情報に基いて空気調和機５の動作を制御する機能を備えている。なお、ガスセンサ２４、臭気センサ３１及び複合センサ５７の臭気センサは、本実施の形態における臭気検出手段の具体例に相当している。
【００２２】
調理機器６は、例えばＩＨ（Induction Heating）クッキングヒータ、ガスコンロ等のように、加熱処理が可能な機器である。調理機器６は、図１において、キッチンカウンター２００の上部に取付けられ、調理空間５００に配置されている。また、調理機器６は、図２に示すように、温度センサを含む調理器センサ６２と、操作スイッチ６３とを備えている。調理器センサ６２は、例えば調理に用いる調理器の材質、調理時の温度推移等を検出するものである。調理機器６は、これらの調理器センサ６２、操作スイッチ６３等から情報を取得することで、調理状態を推定し、臭気、煙等の発生状況を判断することができる。また、調理機器６は、調理器センサ６２のうちの温度センサ、換気装置２のガスセンサ２４等により、調理時に発生するガス、油煙、水蒸気等の情報を取得し、調理状態を判断することができる。
【００２３】
（システム制御装置）
次に、図２を参照して、システム制御装置７０について説明する。システム制御装置７０は、マイクロコンピュータ等により構成され、プロセッサ、メモリ及び入出力ポートを備えている。プロセッサは、各種の機器から入出力ポートに入力される信号に基いて、メモリに予め記憶されたプログラムを実行し、入出力ポートから各種の機器に信号を出力する。これにより、システム制御装置７０の機能が実現される。また、上記メモリには、機器連動手段、騒音低減手段及び位置関係取得手段を実現するためのプログラムが予め記憶されている。
【００２４】
システム制御装置７０は、換気装置２、換気口３、換気扇４、空気調和機５、調理機器６及び家電機器７に対して、それぞれ相互通信可能に接続されている。即ち、システム制御装置７０は、ガスセンサ２４、熱センサ２５、臭気センサ３１、換気扇４、複合センサ５７、調理器センサ６２及び操作スイッチ６３から情報を個別に取得する。また、システム制御装置７０は、排気ファン２２、換気扇４、送風機５１、上下風向板５５、左右風向板５６及び家電機器７に対して制御信号を出力する。上述した情報の取得処理及び制御信号の出力処理は、例えば換気制御部２６、空調制御部５８等を含む各機器の制御部を経由して行ってもよい。
【００２５】
上記構成により、システム制御装置７０は、換気装置２、換気口３、換気扇４、空気調和機５、調理機器６及び家電機器７から、センサによる検出情報及び各機器の運転情報を取得したり、各機器の運転状態を個別に制御することができる。具体例を挙げると、システム制御装置７０は、空気調和機５の空調制御部５８に各種の制御信号を送信することで、送風機５１、上下風向板５５及び左右風向板５６の動作を制御し、空気調和機５の風向及び風量を調整する。また、複合センサ５７の臭気センサにより臭気を検出すれば、リビングダイニング空間４００における臭気の拡散状況を把握することができる。リビングダイニング空間４００への臭気の拡散状況を把握したときに、臭気が拡散している位置が特定できる場合には、臭気が拡散している位置から換気装置２に向けて空気が流れるように空気調和機５の風向、風量及び風速のうち少なくとも１つを制御する。これにより、リビングダイニング空間４００での臭気残りを低減させることができる。また、臭気センサにより空気中の臭気成分が多いことを検知した場合には、空気を換気装置２または換気扇４へと送風することで、リビングダイニング空間４００内の臭気を効率よく排出することができる。
【００２６】
なお、空気調和機５またはシステム制御装置７０は、学習機能を備える構成としてもよい。この場合には、例えば複合センサ５７の人検知センサにより得られた人の動線情報と、温湿度センサにより得られた温度情報とに基いて、部屋の窓及び調理機器６の位置を推定し、制御に利用することができる。また、実施の形態１では、空気調和機５の複合センサ５７を用いているが、複合センサ５７は、換気扇４が備える構成としてもよい。この場合にも、換気扇４またはシステム制御装置７０により室内の情報を学習可能である。
【００２７】
また、システム制御装置７０は、各機器の運転状態及び室内空間の状態を表示するための表示部を備えている。これにより、ユーザは、各機器及び室内空間の状態を容易に知ることができる。なお、システム制御装置７０と各機器との通信形態、及び、システム制御装置７０により各機器を個別に制御するための通信形態は、特定の形態に限定されるものではなく、有線と無線の一方または両方を用いてもよく、更には、電力通信、赤外線通信、電話回線等を用いてもよい。
【００２８】
図５は、空気調和システムの電源系統を模式的に示す構成図である。空気調和システム１は、各機器の消費電力を計測する電力計測部８を備えている。換気装置２、換気扇４、空気調和機５及び調理機器６は、それぞれ電力計測部８を介して外部電源９に接続されている。また、システム制御装置７０は、電力計測部８と相互通信可能に接続された消費電力量検出部１５を備えている。これにより、システム制御装置７０は、消費電力量検出部１５及び電力計測部８を介して各機器の電源のＯＮ／ＯＦＦ状態、消費電力の変動等を検出し、各機器の運転情報を取得することができる。
【００２９】
なお、実施の形態１では、システム制御装置７０がその他の各機器と全く別個の専用装置として設置される場合を例示した。しかし、本発明によるシステム制御装置の設置形態は、実施の形態１に限定されるものではない。即ち、システム制御装置７０は、家電製品の内部に装着される装置、パーソナルコンピュータ、タブレット端末等に追加機能として取付け可能な装置等であってもよい。
【００３０】
次に、図６を参照して、空気調和システム１の動作例について説明する。図６は、本発明の実施の形態１による空気調和システムの制御例を示すフローチャートである。この図に示すルーチンでは、まず、ステップＳ１において、ユーザが調理を開始し、調理機器６をＯＮにすると、この情報がシステム制御装置７０に送信される。これにより、システム制御装置７０は、ステップＳ２により換気装置２をＯＮにして、換気装置２からの換気を開始する。この場合、換気装置２は、調理機器６と同様に、ユーザが手動でＯＮとしてもよい。また、システム制御装置７０は、臭気センサ３１、複合センサ５７の臭気センサ等から取得した臭気の情報に基いて換気装置２をＯＮにしてもよい。このとき、換気装置２は、ガスセンサ２４により検出される前記ガスの濃度が最も高くなるように排気ファン２２を制御するのが好ましい。また、排気ファン２２の制御は、熱センサ２５により検出した熱（温度）の検出結果に基いて行ってもよい。具体例を挙げると、熱センサ２５により調理温度が高いと判断した場合には、上昇気流の発生量が増えるために換気装置２からの排気量も自然に増加すると判断することで、排気ファン２２の回転数を低下させ、排気ファン２２による排気風量を低下させる制御を行ってもよい。
【００３１】
次に、ステップＳ３では、空気調和機５から受信した情報、消費電力量検出部１５により検出した情報等に基いて、空気調和機５がＯＮ状態であるか否かを判定する。ステップＳ３の判定が成立した場合には、そのままステップＳ５に移行する。また、ステップＳ３の判定が不成立の場合には、空気調和機５がＯＦＦ状態であるから、ステップＳ４に移行する。ステップＳ４では、システム制御装置７０から空気調和機５に制御信号を出力し、空気調和機５をＯＮにして、空気調和機５を作動させてから、ステップＳ５に移行する。
【００３２】
次に、ステップＳ５において、システム制御装置７０は、各機器に搭載されたセンサから情報を取得する。そして、取得した情報に基いて、換気装置２の運転を補助するための空気調和機５の運転条件を決定する。ここで、情報を取得する各種のセンサとは、ガスセンサ２４、熱センサ２５、臭気センサ３１、複合センサ５７及び調理器センサ６２のうちの少なくとも一部である。なお、ステップＳ５の処理は、空気調和機５により実行してもよい。
【００３３】
また、調理時には、調理機器６の周囲から調理空間５００に臭気が発生し、この臭気は、換気装置２で発生させた気流と共に排気されるが、排出しきれない臭気は、キッチン空間３００やリビングダイニング空間４００に拡散する。特に、リビングダイニング空間４００側に流入した臭気は、家具、壁紙等に付着することで臭い残りの原因となり、ユーザに不快感を与える。
【００３４】
このような問題を解決するために、空気調和機５は、換気装置２の排気を補助する補助運転を実行する。補助運転では、まず、換気装置２及び調理機器６の位置情報、臭気の発生情報等を複合センサ５７により取得する。そして、取得した情報に基いて臭気の発生位置を推定し、臭気を調理空間５００の外部に拡散させないような空気調和機５の運転条件を決定する。
【００３５】
上記運転条件の具体例について述べると、空気の風速及び風向は、例えば空気調和機５と調理空間５００との距離と、空気調和機５からみた調理空間５００の方向とに応じて、空気が調理空間５００に到達するように適切に設定される。そして、空気調和機５は、前記運転条件に基いて送風機５１、上下風向板５５及び左右風向板５６を制御することにより、リビングダイニング空間４００側から調理空間５００に向けて空気を送風し、送風した空気を調理空間５００に到達させる。
【００３６】
なお、空気調和機５と調理空間５００の位置、距離、方向等の情報は、複合センサ５７により取得してもよいし、システム制御装置７０を経由して他の機器のセンサから取得してもよい。他の機器のセンサとは、例えば換気装置２のガスセンサ２４、熱センサ２５、家電機器７に搭載されたセンサ等である。また、ユーザがタブレット、携帯端末等からＬＤＫ１００の間取り等を入力することで、空気調和機５と調理空間５００との距離等を特定してもよい。また、上述した臭気の発生位置の推定処理、及び運転条件の決定処理は、システム制御装置７０と空気調和機５の何れにより実行してもよい。
【００３７】
上記補助運転によれば、空気調和機５を利用して、リビングダイニング空間４００から調理空間５００に向けて空気を送風することができる。これにより、調理空間５００からリビングダイニング空間４００に臭気が漏れ出るのを抑制し、換気装置２から臭気を効率よく排出することができる。また、システム制御装置７０は、空気調和機５により補助運転が開始されたことを検知すると、換気装置２に制御信号を出力し、ガスセンサ２４により検出される前記ガスの濃度が低下しないように換気装置２の排気風量を減少させる（ステップＳ６）。
【００３８】
ステップＳ６の制御によれば、空気調和機５により空調されてから室内に送り込まれる空気量が低下するので、空調されずに換気口３から室内に流入する外気の量が低下する。この結果、換気口３から流入する外気が原因でキッチンの熱環境が悪化するのを抑制することができる。また、換気装置２の排気風量を減少させることにより騒音を低減することができる。さらに、換気装置２の排気風量を減少させても、空気調和機５が補助運転を行うことにより、調理空間５００からリビングダイニング空間４００への臭気漏れが抑制される。なお、ステップＳ６の処理は、システム制御装置７０と換気装置２の何れにより実行してもよい。
【００３９】
これにより、リビングダイニング空間４００での臭い残りや壁紙等への臭気の付着を抑制することができる。従って、臭気に対するユーザの満足度を損なうことなく、キッチンの熱環境を良好に保持することができる。また、リビングダイニング空間４００等の騒音環境を改善し、余分な空調に起因する無駄な消費電力を削減することができる。
【００４０】
なお、実施の形態１において、図６中に示すステップＳ３，Ｓ４は、機器連動手段の具体例を示し、ステップＳ６は、騒音低減手段の具体例を示している。また、ステップＳ５は、位置関係取得手段の具体例を示している。また、実施の形態１では、システム制御装置７０が機器連動手段及び騒音低減手段を備える場合を例示したが、本発明はこれに限らず、システム制御装置７０を経由して総合通信可能である換気装置２と空気調和機５のうち一方の機器が機器連動手段、騒音低減手段及び位置関係取得手段を備える構成としてもよい。また、換気装置２と空気調和機５が機器連動手段、騒音低減手段及び位置関係取得手段を分散して備える構成としてもよい。
【００４１】
以上詳述した通り、システム制御装置７０は、換気装置２が作動したときに、換気装置２の周囲の空気が拡散しないように空気調和機５を作動させると共に、換気装置２の排気風量を減少させる構成としている。これにより、換気装置２の騒音を抑制しつつ、臭気、油煙、水蒸気、二酸化炭素等の捕集を効率よく実行することができる。また、余分な空調に起因する無駄な消費電力を削減し、省エネルギ化を促進することができる。従って、換気装置と空気調和機とを連動させることで、ユーザにとって快適な空気調和システムを実現することができる。
【００４２】
また、システム制御装置７０は、各機器のセンサからの情報に基いて換気装置２と空気調和機５との位置関係を取得し、この位置関係に基いて、空気調和機５から送風された空気が換気装置２に到達するように空気調和機５を制御する。これにより、補助運転では、家屋の構造、空気調和機５の取付位置等に応じて換気装置２と空気調和機５との位置関係が異なる場合でも、空気調和機５から調理空間５００に向けて空気を安定的に送風することができる。
【００４３】
また、補助運転時には、例えば臭気センサ３１、熱センサ２５、他の家電機器７のセンサ等を利用して、調理機器６が配置された調理空間５００と空気調和機５との位置関係を取得することができ、取得した情報に基いて空気調和機５の送風量及び送風方向を適切に設定することができる。そして、空気調和機５による送風の開始後に、換気装置２の排気風量を減少させることができる。また、調理機器６の使用時には、調理機器６の作動情報に基いて補助運転の開始タイミングを適切に設定することができる。
【００４４】
また、本実施の形態では、換気口３の風向、風量及び風速のうち少なくとも１つのパラメータを制御可能な構成とし、換気装置２及び空気調和機５が作動したときに、当該パラメータを制御するようにしてもよい。これにより、例えばリビングダイニング空間４００のうち換気が必要な位置から換気装置２に向けて空気が流れるように、換気口３からの外気の流入状態を制御することができる。ここで、換気が必要な位置とは、例えば臭気センサから取得した情報に基いて臭気が拡散していると判断された位置等である。
【００４５】
なお、実施の形態１では、換気装置２、換気口３及び空気調和機５を制御する複数種類の制御を例示したが、本発明は、これらの制御のうち一部のみを採用したシステム、及び、全ての制御を採用したシステムを含むものである。
【符号の説明】
【００４６】
１  空気調和システム，２  換気装置，３  換気口，４  換気扇，５  空気調和機，６  調理機器，７  その他の家電機器，８  電力計測部，９  外部電源，１５  消費電力量検出部，２０  ハウジング，２１  開口部，２２  排気ファン，２３  ダクト，２４  ガスセンサ（臭気検出手段），２５  熱センサ，２６  換気制御部，３１  臭気センサ（臭気検出手段），５０  ケーシング，５１  送風機，５２  熱交換器，５３  吸込口，５４  吹出口，５５  上下風向板，５６  左右風向板，５７  複合センサ（臭気検出手段），５８  空調制御部，６２  調理器センサ，６３  操作スイッチ，７０  システム制御装置，１００  ＬＤＫ，２００  キッチンカウンター，３００  キッチン空間，４００  リビングダイニング空間，５００  調理空間
【図１】
0006361667.tif 000002
【図２】
0006361667.tif 000003
【図３】
0006361667.tif 000004
【図４】
0006361667.tif 000005
【図５】
0006361667.tif 000006
【図６】
0006361667.tif 000007